(57)【要約】【課題】積み重ねたシート状の被梱包物を積載するのに十分な剛性と強度とを確保しつつ、軽量化及びコスト低減が可能な載置パレットを提供する。【解決手段】段ボール紙製の載置パレットは、被梱包物が載置される載置部と、該載置部の下面に取付けられ、載置部の中心位置を通って面方向に沿って伸びる中心線に対して線対称で、且つ、それぞれ平行に配置される少なくとも２本の脚部と、を備える。載置部は、それぞれのフルートの延在方向が交差するように、複数の段ボール紙が貼り合わされた上部載置板と、各フルートの延在方向が前記面方向に垂直となるように複数の段ボール紙が貼り合わされ、面方向のうち、脚部の長手方向に直交する方向に延びる複数のスペーサ片を、脚部の長手方向に配置したハニカム層と、それぞれのフルートの延在方向が交差するように、複数の段ボール紙が貼り合わされた下部載置板と、を有する。ハニカム層は、上部載置板と下部載置板との間に配置され、上部載置板と下部載置板とにそれぞれ固着されている。【選択図】図１Ａ
2018177355.tif 000002
【特許請求の範囲】
【請求項１】
積み重ねたシート状の被梱包物を、その平面が上下方向を向くようにして載置する段ボール紙製の載置パレットであって、
前記被梱包物が載置される載置部と、
該載置部の下面に取付けられ、前記載置部の中心位置を通って前記載置部の面方向に沿って伸びる中心線に対して線対称で、且つ、それぞれ平行に配置される少なくとも２本の脚部と、
を備え、
前記２本の脚部は、該中心線よりも該中心線と平行な前記載置部の両端部寄りに配置され、且つ、各フルートの延在方向が前記面方向に垂直となるように複数の段ボール紙が貼り合わされ、
前記載置部は、
それぞれのフルートの延在方向が交差するように、複数の段ボール紙が貼り合わされた上部載置板と、
各フルートの延在方向が前記面方向に垂直となるように複数の段ボール紙が貼り合わされ、前記面方向のうち、前記脚部の長手方向に直交する方向に延びる複数のスペーサ片を、前記脚部の長手方向に配置したハニカム層と、
それぞれのフルートの延在方向が交差するように、複数の段ボール紙が貼り合わされた下部載置板と、
を有し、
前記ハニカム層は、前記上部載置板と前記下部載置板との間に配置され、前記上部載置板と前記下部載置板とにそれぞれ固着されている段ボール紙製の載置パレット。
【請求項２】
前記ハニカム層は、前記複数のスペーサ片を前記脚部の長手方向にそれぞれ間隔を空けて離して配置する請求項１に記載の段ボール紙製の載置パレット。
【請求項３】
前記載置部は、前記上部載置板よりも大きく、上部フルートの段高が下部フルートの段高より大きいダブルフルートの段ボール紙からなる天板をさらに備える、請求項１または２に記載の段ボール紙製の載置パレット。
【請求項４】
前記２本の脚部の外側面にそれぞれ取り付けられ、複数の段ボール紙を前記脚部の長手方向に沿って貼り合わせてなり、且つ、前記天板の下面をそれぞれ支持する複数の補強部材をさらに備える、請求項３に記載の段ボール紙製の載置パレット。
【発明の詳細な説明】
【技術分野】
【０００１】
本発明は、載置パレットに関し、より詳細には、積み重ねたシート状の被梱包物を、その平面が上下方向を向くようにして載置保持するための載置パレットに関する。
【背景技術】
【０００２】
積み重ねたシート状の被梱包物を搬送するため、載置パレットが利用されている。金属材料からなるシート状の被梱包物は、積み重ねることで合計重量が非常に大きくなる（例えば、１００ｋｇ以上）ため、従来の載置パレットは、木製の板と角材とを組み合わせたものが多く使用されている。また、載置パレットは、フォークリフトの爪が挿入可能に構成され、フォークリフトが被梱包物を載置パレットとともに持ち上げて、被梱包物の搬送を行うようにしている。
【０００３】
また、従来、荷積み台の脚部や、パレットの桁部に段ボール紙を積層したものを使用し、強度を持たせつつ、軽量化を図って取り扱い性を高めたものが開示されている（例えば、特許文献１、２参照）。
【先行技術文献】
【特許文献】
【０００４】
【特許文献１】特開２００１−５８６３８号公報
【特許文献２】特開２０１６−１０８０２１号公報
【発明の概要】
【発明が解決しようとする課題】
【０００５】
しかしながら、特許文献１及び２に記載の荷積み台やパレットでは、強度を確保するため、物品が載置される載置板や板部には木材が利用されており、軽量化及びコスト低減の観点からさらなる改善が求められる。
【０００６】
本発明は、前述した課題に鑑みてなされたものであり、その目的は、積み重ねたシート状の被梱包物を積載するのに十分な剛性と強度とを確保しつつ、軽量化及びコスト低減が可能な載置パレットを提供することにある。
【課題を解決するための手段】
【０００７】
本発明の上記目的は、下記の構成により達成される。
即ち、本発明は、
積み重ねたシート状の被梱包物を、その平面が上下方向を向くようにして載置する段ボール紙製の載置パレットであって、
前記被梱包物が載置される載置部と、
該載置部の下面に取付けられ、前記載置部の中心位置を通って前記載置部の面方向に沿って伸びる中心線に対して線対称で、且つ、それぞれ平行に配置される少なくとも２本の脚部と、
を備え、
前記２本の脚部は、該中心線よりも該中心線と平行な前記載置部の両端部寄りに配置され、且つ、各フルートの延在方向が前記面方向に垂直となるように複数の段ボール紙が貼り合わされ、
前記載置部は、
それぞれのフルートの延在方向が交差するように、複数の段ボール紙が貼り合わされた上部載置板と、
各フルートの延在方向が前記面方向に垂直となるように複数の段ボール紙が貼り合わされ、前記面方向のうち、前記脚部の長手方向に直交する方向に延びる複数のスペーサ片を、前記脚部の長手方向に配置したハニカム層と、
それぞれのフルートの延在方向が交差するように、複数の段ボール紙が貼り合わされた下部載置板と、
を有し、
前記ハニカム層は、前記上部載置板と前記下部載置板との間に配置され、前記上部載置板と前記下部載置板とにそれぞれ固着されている段ボール紙製の載置パレット。
【０００８】
また、本発明の載置パレットは、好ましくは、前記ハニカム層は、前記複数のスペーサ片を前記脚部の長手方向にそれぞれ間隔を空けて離して配置する。
【０００９】
また、本発明の載置パレットは、好ましくは、前記載置部は、前記上部載置板よりも大きく、上部フルートの段高が下部フルートの段高より大きいダブルフルートの段ボール紙からなる天板をさらに備える。
【００１０】
また、本発明の載置パレットは、好ましくは、前記２本の脚部の外側面にそれぞれ取り付けられ、複数の段ボール紙を前記脚部の長手方向に沿って貼り合わせてなり、且つ、前記天板の下面をそれぞれ支持する複数の補強部材をさらに備える。
なお、本発明における「平行」とは、実質的に平行とみなすことができる範囲を含むものである。
【発明の効果】
【００１１】
本発明の載置パレットによれば、積み重ねたシート状の被梱包物を積載するのに十分な剛性と強度とを確保しつつ、軽量化及びコスト低減が可能となる。
【図面の簡単な説明】
【００１２】
【図１Ａ】本発明の一実施形態に係る載置パレットに、積み重ねたシート状の被梱包物が積載された状態を示す斜視図である。
【図１Ｂ】本実施形態に係る載置パレットを、天板を離した状態で示す斜視図である。
【図２Ａ】図１に示す載置パレットの下面図である。
【図２Ｂ】図１に示す載置パレットの側面図である。
【図２Ｃ】図１に示す載置パレットの正面図である。
【図３】図１に示す載置パレットの天板、上部載置板、ハニカム層、下部載置板を分離して示す、一部拡大斜視図である。
【図４Ａ】本実施形態の第１変形例に係る載置パレットの下面図である。
【図４Ｂ】第１変形例の載置パレットの正面図である。
【図４Ｃ】補強部材を示す斜視図である。
【図５Ａ】本実施形態の第２変形例に係る載置パレットにアングル部材を取り付けた状態を示す斜視図である。
【図５Ｂ】アングル部材の斜視図である。
【発明を実施するための形態】
【００１３】
以下、本発明の一実施形態に係る載置パレットについて図面に基づいて詳細に説明する。
図１Ａは、本実施形態の載置パレット１に、積み重ねたシート状の被梱包物２を、その平面が上下方向を向くようにして載置し、鉄などの金属製、又は、ＰＥＴ（ポリエチレンテレフタレート）などの樹脂製等からなるバンド３により固定された状態を示している。
図中、符号１４は、バンド３が被梱包物２の周囲に巻き回された際、天板６の下面と被梱包物２の側面との隅部、及び被梱包物２の上面と側面との隅部に配置される、Ｌ字に折り曲げられた紙アングルである。また、被梱包物２、バンド３及び紙アングル１４は二点鎖線で示されている。
【００１４】
図１Ａ〜図３に示すように、載置パレット１は、被梱包物２が載置される載置部４と、載置部４の下面に取り付けられる２本の脚部５と、を有し、いずれも段ボール紙７、８によって主に構成されている。具体的に、図３に示すように、後述する載置部４の天板６以外を構成する段ボール７は、一対のライナー７ａと、一対のライナー７ａ間に波状に折り曲げられたフルート７ｂとをそれぞれ貼り合わせることで形成される。一方、天板６を構成する段ボール８は、３枚のライナー７ａ間に、段高が異なる２つのフルート７ｂ１、７ｂ２をそれぞれ貼り合わせたダブルフルートと称すものから形成される。
【００１５】
２本の脚部５は、図１Ｂ及び図２Ａに示すように、載置部４の中心位置Ｏを通って載置部４の面方向に沿って伸びる中心線ＣＬに対して線対称で、且つ、それぞれ平行に配置されている。また、本実施形態では、２本の脚部５は、載置部４の略両端部４ａの位置に取り付けられている。この場合、載置部４の下方で、２本の脚部５間は、載置パレット１を持ち上げるためにフォークリフトの爪部（不図示）が差し込まれる空間となる。
なお、以下の説明では、載置部４の面方向のうち、脚部５の長手方向をＸ方向、脚部５の長手方向に直交する方向をＹ方向と称し、また、載置部４の面方向に垂直な方向をＺ方向と称す。
【００１６】
図３に示すように、脚部５は、脚部５の長手方向に延びる複数の段ボール紙７がＹ方向に積層され接着剤で貼り合わされて形成される。具体的に、脚部５は、段ボール紙７を、各フルート７ｂの延在方向がＺ方向を向くような姿勢とし、各段ボール紙７の対向するライナー７ａ同士を貼り合わせることで構成される。なお、フルート７ｂの延在方向とは、段ボール紙７のフルート７ｂにおける山と山が並ぶ方向に直交する方向、即ち、フルート７ｂが湾曲せずに延在する方向を言うものとする。
【００１７】
脚部５の下面や長手方向の両端面は、補強のため、粘着テープなどで覆われている。また、脚部５の下面と長手方向の両端面との間には、コンベアによる搬送時の取り扱い性を向上すべく、傾斜面５ａが形成されている。
【００１８】
なお、本実施形態では、２本の脚部５は、載置部４の略両端部４ａの位置に取り付けられているが、フォークリフトの爪部が差し込まれる空間が確保されればよく、該中心線ＣＬよりも該中心線ＣＬと平行な載置部４の両端部４ａ寄りに取り付けられればよい。
また、載置パレット１は、２本の脚部５に加えて、他の脚部を有してもよく、その場合、複数の脚部が、該中心線ＣＬに対して線対称で、それぞれ平行に配置されて、載置部４の下面に取り付けられればよい。例えば、図示された２本の脚部５が載置部４の略両端部４ａの位置に取り付けられている場合、後述する載置部４の構成により、積み重ねたシート状の被梱包物の合計重量が約６００ｋｇ程度まで耐えられる。また、上記他の脚部を含めた３本の脚部を有する場合、後述する載置部４の構成により、該合計重量が１２００ｋｇ程度まで耐えることができる。
【００１９】
図１Ｂ、及び図２Ａ〜図２Ｃに示すように、載置部４は、天板６、上部載置板９、ハニカム層１１、及び下部載置板１０を有する。ハニカム層１１は、上部載置板９と下部載置板１０との間に配置され、上部載置板９と下部載置板１０とにそれぞれ固着されている。上部載置板９と下部載置板１０とは、矩形状であって、そのサイズは互いに等しくなっている。また、上部載置板９と下部載置板１０とは、そのＸ方向長さが、脚部５のＸ方向長さよりも若干短く、そのＹ方向長さが、２本の脚部５の外側面間の間隔と略等しくしている。
【００２０】
天板６は、被梱包物２の大きさに合わせて、上部載置板９よりも大きなサイズを有する。また、天板６は、上部載置板９に接着されてもよいが、被梱包物２の大きさに合わせて変更できるように、上部載置板９と接着せず、単に上部載置板９上に配置されて使用されてもよい。
【００２１】
上部載置板９は、それぞれのフルート７ｂの延在方向が直交するように、複数（本実施形態では、２枚）の段ボール紙７の対向するライナー７ａ同士が貼り合わされて形成されている。
また、下部載置板１０も、それぞれのフルート７ｂの延在方向が直交するように、複数（本実施形態では、２枚）の段ボール紙７の対向するライナー７ａ同士が貼り合わされて形成されている。
なお、本実施形態の上部及び下部載置板９、１０では、２枚の段ボール紙７は、フルート７ｂの延在方向を一辺とする矩形状とし、それぞれのフルート７ｂの延在方向が直交するように貼り合わされている。ただし、本発明の上部及び下部載置板では、２段に限らず、複数の段ボール紙７が、それぞれのフルート７ｂの延在方向が交差するように、貼り合されるものであればよい。
【００２２】
また、ハニカム層１１は、Ｙ方向（即ち、載置部４の面方向のうち、脚部５の長手方向に直交する方向）に延びる細長いスペーサ片１２を、Ｘ方向（即ち、脚部５の長手方向）に複数個（本実施形態では、６つ）所定の間隔でそれぞれ間隔を空けて離して配置している。なお、各スペーサ片１２のＹ方向長さは、上部載置板９及び下部載置板１０のＹ方向長さと略等しく設計されている。また、隣り合うスペーサ片１２間の所定の間隔は、隣り合うスペーサ片１２と上部及び下部載置板９、１０とで形成される挿通空間ｓにバンド３が挿通されるように、バンド３の幅より大きく設計されている。
【００２３】
また、各スペーサ片１２は、複数（本実施形態では、１０枚）の段ボール紙７が貼り合され、各フルート７ｂの延在方向がＺ方向、即ち、載置部４の面方向に垂直となるようにそれぞれ形成される。なお、複数のスペーサ片１２は、所定の枚数の段ボール紙７を貼り合わせた後、フルート７ｂが並ぶ方向に沿って所定の高さで裁断することで形成される。
【００２４】
本実施形態では、上部載置板９とハニカム層１１、ハニカム層１１と下部載置板１０、及び下部載置板１０と脚部５とは、粘着性のワックスを用いて接着されているが、これに限らず、それぞれ固着されていればよい。
【００２５】
天板６は、上述したようにダブルフルートによって形成されている。天板６は、使用の際には、上部フルート７ｂ１の段高が下部フルート７ｂ２の段高より大きくなるようにして、上部載置板９の上に配置される。
【００２６】
このように構成された載置パレット１では、図１Ａに示すように、天板６の上に被梱包物２を載置した後に、載置部４の挿通空間ｓを通したバンド３を、紙アングル１４を挟んだ状態で、被梱包物２の周囲に巻き回すことで、載置パレット１に被梱包物２を固定することができる。そして、このように被梱包物２を載置した載置パレット１は、脚部５の間に差し込まれたフォークリフトの爪部により持ち上げられて、搬送される。
【００２７】
以上説明したように、本実施形態の載置パレット１は、載置部４と、２本の脚部５と、を備える。そして、２本の脚部５は、該中心線ＣＬよりも該中心線ＣＬと平行な載置部４の両端部４ａ寄りに配置され、且つ、各フルート７ｂの延在方向が面方向に垂直となるように複数の段ボール紙７が貼り合わされる。また、載置部４は、それぞれのフルート７ｂの延在方向が交差するように、複数の段ボール紙７が貼り合わされた上部載置板９と、各フルート７ｂの延在方向が載置部４の面方向に垂直となるように複数の段ボール紙７が貼り合わされ、該面方向のうち、脚部５の長手方向に直交する方向に延びる複数のスペーサ片１２を、脚部５の長手方向に配置したハニカム層１１と、それぞれのフルート７ｂの延在方向が交差するように、複数の段ボール紙７が貼り合わされた下部載置板１０と、を有する。ハニカム層１１は、上部載置板９と下部載置板１０との間に配置され、上部載置板９と下部載置板１０とにそれぞれ固着される。これにより、載置部４と脚部５との両方を段ボール紙７で構成しているにも関わらず、積み重ねたシート状の被梱包物２を積載するのに十分な剛性と強度とを確保しつつ、軽量化及びコスト低減が可能となる。
【００２８】
また、ハニカム層１１は、複数のスペーサ片１２を脚部５の長手方向にそれぞれ間隔を空けて離して配置するので、部品点数の省略、軽量化が図れ、さらに、バンド３の挿通空間ｓを確保することができる。
【００２９】
また、段ボール紙７から形成される載置パレット１が、木製のパレットに比べ軽量であることから、積載重量が制限されるトラック等において、積載できる被梱包物２の量を増やすことができ、運搬効率を高めることができる。
【００３０】
さらに、載置部４は、上部載置板９よりも大きく、上部フルート７ｂ１の段高が下部フルート７ｂ２の段高より大きいダブルフルートの段ボール紙８からなる天板６をさらに備えるので、被梱包物２の大きさに合わせた天板６を用いることで、上部載置板９よりも大きなサイズの被梱包物２であっても、被梱包物２の周縁部が湾曲することなく、被梱包物２を載置することができる。また、上部フルート７ｂ１の段高が下部フルート７ｂ２の段高より大きくなるようにして天板６を使用することで、被梱包物２の重量を緩衝性の高い上部フルート７ｂによって多く受けることができ、天板６が変形した際のずれを抑制することができる。
【００３１】
図４Ａ〜図４Ｃは、本実施形態の第１変形例に係る載置パレットを示している。本変形例の載置パレット１は、２本の脚部５の外側面にそれぞれ複数（本変形例では、３つ）ずつ取り付けられ、天板６の下面をそれぞれ支持する略三角板状の複数（本変形例では、６つ）の補強部材１３をさらに備える。
【００３２】
各補強部材１３は、複数の段ボール紙７を脚部５の長手方向に沿って貼り合わせてなり、各段ボール紙７のフルート７ｂの延在方向が、載置部４の面方向に垂直となるように形成されている。そして、図４Ｂに示すように、略三角板状の補強部材１３の一辺が、脚部５の外側面に接着され、補強部材１３の別な一辺が天板６の下面を支持している。なお、補強部材１３の一辺は、下部載置板１０、スペーサ片１２及び上部載置板９の側面とも接着されてもよい。また、補強部材１３の別な一辺は、天板６の下面に接着されてもよい。
また、補強部材１３の脚部５と接着される一辺と天板６を支持する一辺の隅部には、切り欠き１３ａが形成されている。
【００３３】
これにより、３つの補強部材１３が、天板６の両縁部近傍を補強することができ、被梱包物２の荷重を受けたときに、天板６、ひいては被梱包物２が湾曲するのをさらに抑制することができる。
【００３４】
図５Ａは、本実施形態の第２変形例に係る、アングル部材を用いて載置パレットに被梱包物を保持した斜視図であり、図５Ｂは、アングル部材の斜視図である。このアングル部材１５は、金属製、樹脂製、又は紙製で形成され、互いに直交する第１平面部１５ａと第２平面部１５ｂとで長尺状に形成される。具体的に、本実施形態のアングル部材１５は、Ｘ方向両側に形成された挿通空間ｓよりも長く形成されている。
これにより、図５Ａに示すように、２本のバンド３が巻き回される、天板６の下面と被梱包物２の側面との隅部、及び被梱包物２の上面と側面との隅部に、紙アングル１４の代わりに、配置することができる。
【００３５】
なお、天板６の下面と被梱包物２の側面との隅部、及び被梱包物２の上面と側面との隅部のいずれか一方にアングル部材１５を配置し、他方の隅部には紙アングル１４が配置されてもよい（図示せず）。
【００３６】
尚、本発明は、前述した実施形態及び変形例に限定されるものではなく、適宜、変形、改良、等が可能である。
例えば、天板６は、２枚の段ボール紙７を貼り合わせることで構成してもよく、特に２枚の段ボール紙７のフルート７ｂの段高が異なるほうが好ましい。
この場合、天板６は、上部フルート７ｂ１の延在方向と、下部フルート７ｂ２の延在方向とを同一方向としてもよいし、これらを交差させてもよい。
【００３７】
また、本発明では、被梱包物２のサイズが上部載置板９のサイズ以下である場合には、載置部４は、天板６を含まずに構成されてもよい。即ち、被梱包物２が上部載置板９上に直接載置されてもよい。
【００３８】
さらに、本実施形態では、ハニカム層１１は、複数のスペーサ片１２を脚部５の長手方向にそれぞれ間隔を空けて離して配置しているが、本発明は、これに限らない。即ち、隣り合うスペーサ片１２同士は、互いに接触して配置されてもよいし、或いは、互いに間隔を空けて離して配置されてもよい。例えば、全てのスペーサ片１２が、それぞれ接触して配置されてもよいし、或いは、バンド３を挿通する挿通空間ｓが必要な位置において隣り合うスペーサ片１２同士が互いに間隔を空けて離して配置され、残りのスペーサ片１２同士が接触して配置されてもよい。
【符号の説明】
【００３９】
１    載置パレット
２    被梱包物
３    バンド
４    載置部
５    脚部
６    天板
７、８            段ボール紙
７ａ  ライナー
７ｂ  フルート
７ｂ１      上部フルート
７ｂ２      下部フルート
９    上部載置板
１０  下部載置板
１１  ハニカム層
１２  スペーサ片
１３  補強部材
１３ａ      切り欠き
１４  紙アングル
１５  アングル部材
ＣＬ  中心線
【図１Ａ】
2018177355.tif 000003
【図１Ｂ】
2018177355.tif 000004
【図２Ａ】
2018177355.tif 000005
【図２Ｂ】
2018177355.tif 000006
【図２Ｃ】
2018177355.tif 000007
【図３】
2018177355.tif 000008
【図４Ａ】
2018177355.tif 000009
【図４Ｂ】
2018177355.tif 000010
【図４Ｃ】
2018177355.tif 000011
【図５Ａ】
2018177355.tif 000012
【図５Ｂ】
2018177355.tif 000013